(57)【要約】【課題】ケーシング内の空気の流通経路を切り換える複数のダンパを備える調湿装置において、運転中に空気の流通経路がダンパによって断たれることを回避する。【解決手段】ダンパ（41〜48）の状態を開状態と閉状態との間で切り換える切換動作を行うことによって、第１吸着用部材（51）で第１空気を除湿すると同時に第２吸着用部材（52）で第２空気を加湿する第１動作と、第２吸着用部材（52）で第１空気を除湿すると同時に第１吸着用部材（51）で第２空気を加湿する第２動作とを交互に行う調湿装置（10）に対して、第１動作と第２動作との間の切り換えを行う際に、開状態へ切り換えるダンパ（41〜48）の切換動作を、閉状態へ切り換えるダンパ（41〜48）の切換動作よりも先に開始させるダンパ制御手段（63）を設ける。【選択図】図１０
2009109143.tif 000002
【特許請求の範囲】
【請求項１】
第１空気及び第２空気が内部を流通するケーシング（11）を備え、
上記ケーシング（11）には、それぞれに吸着剤が担持された第１吸着用部材（51）及び第２吸着用部材（52）と、上記第１空気及び第２空気の流通経路を切り換えるための複数のダンパ（41〜48）とが設けられ、
上記ダンパ（41〜48）の状態を開状態と閉状態との間で切り換える切換動作を行うことによって、上記第１吸着用部材（51）で第１空気を除湿すると同時に上記第２吸着用部材（52）で第２空気を加湿する第１動作と、該第２吸着用部材（52）で第１空気を除湿すると同時に該第１吸着用部材（51）で第２空気を加湿する第２動作とが交互に行われる調湿運転を行う調湿装置であって、
上記第１動作と第２動作との間の切り換えを行う際に、開状態へ切り換えるダンパ（41〜48）の切換動作を、閉状態へ切り換えるダンパ（41〜48）の切換動作よりも先に開始させるダンパ制御手段（63）を備えていることを特徴とする調湿装置。
【請求項２】
請求項１において、
上記第１空気及び第２空気の流通経路を切り換えるための複数のダンパ（41〜48）は、調湿用のダンパ（41〜48）を構成し、
上記ケーシング（11）には、上記第１吸着用部材（51）及び第２吸着用部材（52）をバイパスする空気が流通するバイパス通路（81,82）が形成されると共に、該バイパス通路（81,82）での空気の流通を断続するためのバイパス用のダンパ（49,50）が設けられ、
上記バイパス用のダンパ（49,50）のみを開状態に設定した状態で、空気の湿度調節を行うことなく上記バイパス通路（81,82）を通じて室内の換気を行う単純換気運転を行う一方、
上記ダンパ制御手段（63）は、上記調湿運転と上記単純換気運転との間の切り換えを行う際に、上記調湿用のダンパ（41〜48）及びバイパス用のダンパ（49,50）のうち開状態へ切り換える方の切換動作を、閉状態へ切り換える方の切換動作よりも先に開始させることを特徴とする調湿装置。
【請求項３】
請求項１又は２において、
上記ダンパ制御手段（63）は、開状態へ切り換える全てのダンパ（41〜50）の切換動作を同時に開始させ、閉状態へ切り換える全てのダンパ（41〜50）の切換動作を同時に開始させることを特徴とする調湿装置。
【発明の詳細な説明】
【技術分野】
【０００１】
本発明は、空気の湿度調節を行う調湿装置に関するものである。
【背景技術】
【０００２】
従来より、空気の湿度調節を行う調湿装置が知られている。例えば、特許文献１及び特許文献２には、表面に吸着剤が担持された吸着用部材を用いて、空気の湿度調節を行う調湿装置が開示されている。
【０００３】
具体的に、特許文献１には、吸着剤が担持された第１吸着熱交換器及び第２吸着熱交換器を用いて空気の湿度調節を行う調湿装置が開示されている。この調湿装置では、第１吸着熱交換器で第１空気を除湿して第２吸着熱交換器で第２空気を加湿する動作と、第２吸着熱交換器で第１空気を除湿して第１吸着熱交換器で第２空気を加湿する動作とが交互に行われ、第１空気と第２空気との一方が給気ファンによって室内へ供給され、他方が排気ファンによって室外へ排出される。第１空気及び第２空気の流通経路は、８つのダンパによって切り換えられる。
【特許文献１】特開２００５−２９１５３２号公報
【発明の開示】
【発明が解決しようとする課題】
【０００４】
ところで、この種の調湿装置では、ダンパの状態を開状態と閉状態との間で切り換える切換動作に要する時間が、全てのダンパで同じになるとは限らない。つまり、全てのダンパの切換動作が同時に始まっても、全てのダンパの切換動作が同時に終了するとは限らない。従って、開状態から閉状態へ切り換わるダンパの方が、閉状態から開状態へ切り換わるダンパよりも先に切換動作が終了する場合があり、このような場合にケーシング内の空気の流通経路がダンパによって一時的に断たれてしまうおそれがあった。
【０００５】
本発明は、かかる点に鑑みてなされたものであり、その目的は、ケーシング内の空気の流通経路を切り換える複数のダンパを備える調湿装置において、運転中に空気の流通経路がダンパによって断たれることを回避することにある。
【課題を解決するための手段】
【０００６】
第１の発明は、第１空気及び第２空気が内部を流通するケーシング（11）を備え、上記ケーシング（11）には、それぞれに吸着剤が担持された第１吸着用部材（51）及び第２吸着用部材（52）と、上記第１空気及び第２空気の流通経路を切り換えるための複数のダンパ（41〜48）とが設けられ、上記ダンパ（41〜48）の状態を開状態と閉状態との間で切り換える切換動作を行うことによって、上記第１吸着用部材（51）で第１空気を除湿すると同時に上記第２吸着用部材（52）で第２空気を加湿する第１動作と、該第２吸着用部材（52）で第１空気を除湿すると同時に該第１吸着用部材（51）で第２空気を加湿する第２動作とが交互に行われる調湿運転を行う調湿装置を対象とする。
【０００７】
そして、この調湿装置は、上記第１動作と第２動作との間の切り換えを行う際に、開状態へ切り換えるダンパ（41〜48）の切換動作を、閉状態へ切り換えるダンパ（41〜48）の切換動作よりも先に開始させるダンパ制御手段（63）を備えている。
【０００８】
第１の発明では、ダンパ制御手段（63）が、第１動作と第２動作との間の切り換えを行う際に、閉状態から開状態へ切り換えるダンパ（41〜48）に対して切換動作を開始させた後に、開状態から閉状態へ切り換えるダンパ（41〜48）に対して切換動作を開始させる。このため、閉状態へ切り換えるダンパ（41〜48）の切換動作が開始される時点では、開状態へ切り換わるダンパ（41〜48）の切換動作が、ある程度進んだ状態になる。
【０００９】
第２の発明は、上記第１の発明において、上記第１空気及び第２空気の流通経路を切り換えるための複数のダンパ（41〜48）が、調湿用のダンパ（41〜48）を構成し、上記ケーシング（11）には、上記第１吸着用部材（51）及び第２吸着用部材（52）をバイパスする空気が流通するバイパス通路（81,82）が形成されると共に、該バイパス通路（81,82）での空気の流通を断続するためのバイパス用のダンパ（49,50）が設けられ、上記バイパス用のダンパ（49,50）のみを開状態に設定した状態で、空気の湿度調節を行うことなく上記バイパス通路（81,82）を通じて室内の換気を行う単純換気運転を行う一方、上記ダンパ制御手段（63）は、上記調湿運転と上記単純換気運転との間の切り換えを行う際に、上記調湿用のダンパ（41〜48）及びバイパス用のダンパ（49,50）のうち開状態へ切り換える方の切換動作を、閉状態へ切り換える方の切換動作よりも先に開始させる。
【００１０】
第２の発明では、ダンパ制御手段（63）が、調湿運転と単純換気運転との間の切り換えを行う際に、調湿用のダンパ（41〜48）及びバイパス用のダンパ（49,50）のうち開状態へ切り換える方の切換動作を、閉状態へ切り換える方の切換動作よりも先に開始させる。このため、調湿運転と単純換気運転との間の切り換えを行う際にも、閉状態へ切り換えるダンパ（41〜50）の切換動作が開始される時点では、開状態へ切り換わるダンパ（41〜50）の切換動作が、ある程度進んだ状態になる。
【００１１】
第３の発明は、上記第１又は第２の発明において、上記ダンパ制御手段（63）は、開状態へ切り換える全てのダンパ（41〜50）の切換動作を同時に開始させ、閉状態へ切り換える全てのダンパ（41〜50）の切換動作を同時に開始させる。
【００１２】
第３の発明では、開状態へ切り換える全てのダンパ（41〜50）の切換動作が同時に開始され、閉状態へ切り換える全てのダンパ（41〜50）の切換動作が同時に開始される。ダンパ制御手段（63）では、切換動作の開始を指示するタイミングが、開状態へ切り換える全てのダンパ（41〜50）の間で同じになり、閉状態へ切り換える全てのダンパ（41〜50）の間で同じになっている。
【発明の効果】
【００１３】
本発明では、第１動作と第２動作との間の切り換えを行う際に、開状態へ切り換えるダンパ（41〜48）の切換動作を、閉状態へ切り換えるダンパ（41〜48）の切換動作よりも先に開始させるダンパ制御手段（63）を設けているので、閉状態へ切り換えるダンパ（41〜48）の切換動作が開始される時点では、開状態へ切り換えるダンパ（41〜48）の切換動作がある程度進んだ状態になる。このため、閉状態へ切り換わるダンパ（41〜48）の切換動作が完了して該ダンパ（41〜48）を空気が通過できなくなった時点では、開状態へ切り換えるダンパ（41〜48）の切換動作が完了して該ダンパ（41〜48）を空気が通過できる状態になっている。従って、運転中に空気の流通経路がダンパ（41〜48）によって断たれることを回避することができる。
【００１４】
また、上記第２の発明では、調湿運転と単純換気運転との間の切り換えを行う際にも、閉状態へ切り換えるダンパ（41〜50）の切換動作が開始される時点では、開状態へ切り換わるダンパ（41〜50）の切換動作がある程度進んだ状態になる。従って、調湿運転と単純換気運転との間の切り換えを行う際にも、空気の流通経路がダンパによって断たれることを回避することができる。
【００１５】
また、上記第３の発明では、ダンパ制御手段（63）において、切換動作の開始を指示するタイミングが、開状態へ切り換える全てのダンパ（41〜50）の間で同じになり、閉状態へ切り換える全てのダンパ（41〜50）の間で同じになるようにしている。つまり、切換動作の開始を指示するタイミングが、開状態への切換動作を行うダンパと閉状態への切換動作を行うダンパのそれぞれで統一されている。従って、ダンパ（41〜50）の制御が複雑化することを回避できる。
【発明を実施するための最良の形態】
【００１６】
以下、本発明の実施形態を図面に基づいて詳細に説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００１７】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００１８】
調湿装置（10）は、ケーシング（11）を備えている。また、ケーシング（11）内には、冷媒回路（56）が収容されている。この冷媒回路（56）には、第１吸着熱交換器（51）、第２吸着熱交換器（52）、圧縮機（53）、四方切換弁（54）、及び電動膨張弁（55）が接続されている。第１吸着熱交換器（51）は第１吸着用部材を構成し、第２吸着熱交換器（52）は第２吸着用部材を構成している。冷媒回路（56）の詳細は後述する。
【００１９】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００２０】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００２１】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００２２】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００２３】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００２４】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００２５】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００２６】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（56）の電動膨張弁（55）が収容されている。
【００２７】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００２８】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００２９】
上流側仕切板（71）には、後述する第１空気及び第２空気の流通経路を切り換えるための開閉式のダンパ（41〜44）が４つ設けられている。各ダンパ（41〜44）は、調湿用のダンパを構成している。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００３０】
下流側仕切板（72）には、後述する第１空気及び第２空気の流通経路を切り換えるための開閉式のダンパ（45〜48）が４つ設けられている。各ダンパ（45〜48）は、調湿用のダンパを構成している。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００３１】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００３２】
給気ファン室（36）には、第１吸着用部材（51）及び第２吸着用部材（52）に空気を送るための給気ファン（26）が収容されている。また、排気ファン室（35）には、第１吸着用部材（51）及び第２吸着用部材（52）に空気を送るための排気ファン（25）が収容されている。給気ファン（26）及び排気ファン（25）は、何れも遠心型の多翼ファン（いわゆるシロッコファン）であり、ファンモータの回転に伴って空気を送風する。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００３３】
給気ファン室（36）には、冷媒回路（56）の圧縮機（53）と四方切換弁（54）とが収容されている。圧縮機（53）及び四方切換弁（54）は、給気ファン室（36）における給気ファン（26）と仕切板（77）との間に配置されている。
【００３４】
ケーシング（11）内において、第１仕切板（74）と第１側面パネル部（14）の間の空間は、第１吸着用部材（51）及び第２吸着用部材（52）をバイパスする空気が流通する第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス通路（81）に空気を流通させるか否かを調節する第１バイパス用ダンパ（49）が設けられている。
【００３５】
ケーシング（11）内において、第２仕切板（75）と第２側面パネル部（15）の間の空間は、第１吸着用部材（51）及び第２吸着用部材（52）をバイパスする空気が流通する第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス通路（82）に空気を流通させるか否かを調節する第２バイパス用ダンパ（50）が設けられている。
【００３６】
なお、図２の右側面図及び左側面図では、第１バイパス通路（81）、第２バイパス通路（82）、第１バイパス用ダンパ（49）、及び第２バイパス用ダンパ（50）の図示を省略している。
【００３７】
各ダンパ（41〜50）は、ダンパモータを備えている。各ダンパ（41〜50）は、ダンパモータに通電されると、開状態と閉状態との間を切り換える切換動作を実行する。切換動作は、後述するダンパ制御部（63）から切換指令を受けると開始される。
【００３８】
また、各ダンパ（41〜50）には、ダンパ（41〜50）が開状態であるか閉状態であるかを検出するためのリミットスイッチがそれぞれ設けられている。各リミットスイッチは、ダンパ（41〜50）が開状態の場合にはオン状態になり、ダンパ（41〜50）が閉状態の場合にはオフ状態になるように設けられている。各リミットスイッチは、後述するコントローラ（30）に接続されている。
【００３９】
〈冷媒回路の構成〉
図３に示すように、冷媒回路（56）は、第１吸着熱交換器（51）、第２吸着熱交換器（52）、圧縮機（53）、四方切換弁（54）、及び電動膨張弁（55）が設けられた閉回路である。この冷媒回路（56）は、充填された冷媒を循環させることによって、蒸気圧縮冷凍サイクルを行う。
【００４０】
冷媒回路（56）において、圧縮機（53）は、その吐出側が四方切換弁（54）の第１のポートに、その吸入側が四方切換弁（54）の第２のポートにそれぞれ接続されている。また、冷媒回路（56）では、第１吸着熱交換器（51）と電動膨張弁（55）と第２吸着熱交換器（52）とが、四方切換弁（54）の第３のポートから第４のポートへ向かって順に接続されている。
【００４１】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００４２】
冷媒回路（56）において、圧縮機（53）の吐出側と四方切換弁（54）の第１のポートとを繋ぐ配管には、高圧圧力センサ（91）と、吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００４３】
また、冷媒回路（56）において、圧縮機（53）の吸入側と四方切換弁（54）の第２のポートとを繋ぐ配管には、低圧圧力センサ（92）と、吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００４４】
また、冷媒回路（56）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００４５】
<コントローラの構成>
本実施形態の調湿装置（10）には、調湿装置（10）の運転を制御するためのコントローラ（30）が設けられている。コントローラ（30）は、図４に示すように、圧縮機制御部（61）と弁制御部（59）とファン制御部（62）とダンパ制御部（63）とを備えている。ダンパ制御部（63）は、ダンパ制御手段を構成している。
【００４６】
圧縮機制御部（61）は、圧縮機（53）の運転状態を制御するように構成されている。弁制御部（59）は、四方切換弁（54）及び電動膨張弁（55）の動作を制御するように構成されている。ファン制御部（62）は、給気ファン（26）及び排気ファン（25）の運転状態を制御するように構成されている。
【００４７】
ダンパ制御部（63）は、ダンパ（41〜50）の状態を開状態と閉状態との間で切り換える切換動作を制御するように構成されている。ダンパ制御部（63）は、上述した１０個のダンパ（41〜50）の切換動作を個別に制御する。
【００４８】
ダンパ制御部（63）には、後述する除湿換気運転の第１動作と、除湿換気運転の第２動作と、加湿換気運転の第１動作と、加湿換気運転の第２動作と、単純換気運転とのそれぞれについて、各ダンパ（41〜50）が開状態であるか閉状態であるかのダンパ（41〜50）の開閉状態の組合せが予め記憶されている。
【００４９】
ダンパ制御部（63）は、調湿装置（10）の起動時に、起動後の運転状態のダンパ（41〜50）の開閉状態の組合せに基づいて、切換動作を行うダンパ（41〜50）を選択する。また、ダンパ制御部（63）は、運転状態の切り換えが行われる場合と、第１動作と第２動作との切り換えが行われる場合とに、切り換え後のダンパ（41〜50）の開閉状態の組合せに基づいて、切換動作を行うダンパ（41〜50）を選択する。ダンパ制御部（63）は、選択したダンパ（41〜50）に対して、切換動作の実行を指令する切換指令を出力する。ダンパ制御部（63）は、ダンパ（41〜50）の状態を閉状態から開状態へ切り換える場合には、開状態への切換指令を出力し、ダンパ（41〜50）の状態を開状態から閉状態へ切り換える場合には、閉状態への切換指令を出力する。
【００５０】
この実施形態では、後述する除湿換気運転及び加湿換気運転において、第１動作と第２動作との間の切り換えを行う際に、ダンパ制御部（63）は、開状態へ切り換わるダンパ（41〜48）に対して開状態への切換指令を出力した後に、閉状態へ切り換わるダンパ（41〜48）に対して閉状態への切換指令を出力するように構成されている。閉状態への切換指令は、開状態への切換指令の出力時点から所定の設定時間（例えば１５秒）の経過後に出力される。この設定時間は、ダンパ制御部（63）に予め設定されている。
【００５１】
また、ダンパ制御部（63）は、後述する除湿換気運転又は加湿換気運転と単純換気運転との間の切り換えを行う際にも、開状態へ切り換わるダンパ（41〜50）に対して開状態への切換指令を出力した後に、閉状態へ切り換わるダンパ（41〜50）に対して閉状態への切換指令を出力するように構成されている。閉状態への切換指令は、開状態への切換指令の出力時点から上記設定時間（例えば１５秒）の経過後に出力される。
【００５２】
−運転動作−
本実施形態の調湿装置（10）は、除湿換気運転と、加湿換気運転と、単純換気運転とを選択的に行う。除湿換気運転と加湿換気運転とは室内の湿度調節を行う調湿運転である。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００５３】
〈除湿換気運転〉
除湿換気運転中の調湿装置（10）では、第１バイパス用ダンパ（49）及び第２バイパス用ダンパ（50）以外のダンパ（41〜48）の状態を開状態と閉状態との間で切り換える切換動作を行うことによって、後述する第１動作と第２動作が所定の時間間隔（例えば３分間隔）で交互に繰り返される。この除湿換気運転中において、第１バイパス用ダンパ（49）及び第２バイパス用ダンパ（50）は、常に閉状態となる。
【００５４】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００５５】
先ず、除湿換気運転の第１動作について説明する。図５に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（56）では、四方切換弁（54）が第１状態（図３(Ａ)に示す状態）に設定され、第１吸着熱交換器（51）が凝縮器となって第２吸着熱交換器（52）が蒸発器となる。
【００５６】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００５７】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００５８】
次に、除湿換気運転の第２動作について説明する。図６に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（56）では、四方切換弁（54）が第２状態（図３(Ｂ)に示す状態）に設定され、第１吸着熱交換器（51）が蒸発器となって第２吸着熱交換器（52）が凝縮器となる。
【００５９】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００６０】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００６１】
〈加湿換気運転〉
加湿換気運転中の調湿装置（10）では、第１バイパス用ダンパ（49）及び第２バイパス用ダンパ（50）以外のダンパ（41〜48）の状態を開状態と閉状態との間で切り換える切換動作を行うことによって、後述する第１動作と第２動作が所定の時間間隔（例えば４分間隔）で交互に繰り返される。この加湿換気運転中において、第１バイパス用ダンパ（49）及び第２バイパス用ダンパ（50）は、常に閉状態となる。
【００６２】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００６３】
先ず、加湿換気運転の第１動作について説明する。図７に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（56）では、四方切換弁（54）が第１状態（図３(Ａ)に示す状態）に設定され、第１吸着熱交換器（51）が凝縮器となって第２吸着熱交換器（52）が蒸発器となる。
【００６４】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００６５】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００６６】
次に、加湿換気運転の第２動作について説明する。図８に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（56）では、四方切換弁（54）が第２状態（図３(Ｂ)に示す状態）に設定され、第１吸着熱交換器（51）が蒸発器となって第２吸着熱交換器（52）が凝縮器となる。
【００６７】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００６８】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００６９】
〈単純換気運転〉
単純換気運転中における調湿装置（10）の動作について、図９を参照しながら説明する。
【００７０】
単純換気運転中の調湿装置（10）では、第１バイパス用ダンパ（49）及び第２バイパス用ダンパ（50）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（56）の圧縮機（53）は停止状態となる。
【００７１】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（49）を通って給気ファン室（36）へ流入し、その後に給気口（22）を通って室内へ供給される。
【００７２】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（50）を通って排気ファン室（35）へ流入し、その後に排気口（21）を通って室外へ排出される。
【００７３】
−コントローラの動作−
以下に、コントローラ（30）のダンパ制御部（63）の動作について説明する。
【００７４】
〈第１動作と第２動作の切り換え〉
調湿運転において第１動作と第２動作との切り換えを行う際のコントローラ（30）の動作について説明する。なお、以下では、除湿換気運転中に第１動作から第２動作へ切り換わる場合を例に、ダンパ制御部（63）が行う動作について説明する。
【００７５】
なお、除湿換気運転の第１動作中は、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となっている。また、第１動作から第２動作へ切り換えは、給気ファン（26）及び排気ファン（25）を運転したままで行われる。
【００７６】
ダンパ制御部（63）は、第１動作から第２動作へ切り換える時刻になると、まず第２内気側ダンパ（42）、第１外気側ダンパ（43）、第１給気側ダンパ（45）、及び第２排気側ダンパ（48）の各ダンパに対して、開状態への切換指令を出力する。ダンパ制御部（63）では、図１０に示すように、開状態への切換指令を出力した各ダンパ（42,43,45,48）の指示値が、閉状態から開状態に設定される。開状態への切換指令を受けた各ダンパ（42,43,45,48）では、ダンパモータが起動して、開状態への切換動作が開始される。
【００７７】
続いて、ダンパ制御部（63）は、開状態への切換指令の出力時点から所定の設定時間（例えば１５秒）の経過後に、第１内気側ダンパ（41）、第２外気側ダンパ（44）、第２給気側ダンパ（46）、及び第１排気側ダンパ（47）の各ダンパに対して、閉状態への切換指令を出力する。ダンパ制御部（63）では、閉状態への切換指令を出力した各ダンパ（41,44,46,47）の指示値が、開状態から閉状態に設定される。閉状態への切換指令を受けた各ダンパ（41,44,46,47）では、ダンパモータが起動して、閉状態への切換動作が開始される。
【００７８】
ダンパ制御部（63）は、開状態への切換指令を出力した直後から、開状態への切換指令を出力したダンパ（42,43,45,48）のリミットスイッチの出力の検出を開始する。また、ダンパ制御部（63）は、閉状態への切換指令を出力した直後から、閉状態への切換指令を出力したダンパ（41,44,46,47）のリミットスイッチの出力の検出を開始する。リミットスイッチの出力の検出は、所定の時間間隔（例えば０．００５秒間隔）で行われる。ダンパ制御部（63）は、開状態への切換指令を出力したダンパ（42,43,45,48）のリミットスイッチの出力がオン状態になっていることを所定回数（例えば３回）連続して検出した場合に、そのダンパ（42,43,45,48）の切換動作が終了したと判断する。また、ダンパ制御部（63）は、閉状態への切換指令を出力したダンパ（41,44,46,47）のリミットスイッチの出力がオフ状態になっていることを所定回数（例えば３回）連続して検出した場合に、そのダンパ（41,44,46,47）の切換動作が終了したと判断する。以上により、第１動作から第２動作へ切り換える際のダンパ制御部（63）の動作が終了する。
【００７９】
この実施形態では、第１動作から第２動作へ切り換える際に、開状態へ切り換わるダンパ（42,43,45,48）の切換動作の方が、閉状態へ切り換わるダンパ（41,44,46,47）の切換動作よりも先に開始される。ここで、第１動作から第２動作へ切り換える際に、全てのダンパ（41〜48）の切換動作が同時に開始される場合には、第１給気側ダンパ（45）が開く前に第２給気側ダンパ（46）が閉じきってしまい、第１空気の流通経路がダンパ（45,46）によって断たれてしまう場合がある。このような場合、給気側通路（31）に一時的に第１空気が流入しなくなるので、給気ファン（26）の負荷が一時的に増加してしまう。
【００８０】
これに対して、この実施形態では、開状態へ切り換わる第１給気側ダンパ（45）の切換動作が、閉状態へ切り換わる第２給気側ダンパ（46）の切換動作よりも先に開始される。このため、第１給気側ダンパ（45）の切換動作の方が第２給気側ダンパ（46）の切換動作よりも早く終了するので、第１給気側ダンパ（45）と第２給気側ダンパ（46）の両方が閉じた状態になる事態が生じない。従って、第１空気の流通経路がダンパ（45,46）によって断たれてしまうことが回避されるので、給気ファン（26）の負荷が一時的に増加することが回避される。
【００８１】
また、排気側通路（33）側では、開状態へ切り換わる第２排気側ダンパ（48）の切換動作が、閉状態へ切り換わる第１排気側ダンパ（47）の切換動作よりも先に開始される。このため、第２排気側ダンパ（48）の切換動作の方が第１排気側ダンパ（47）の切換動作よりも早く終了するので、第２排気側ダンパ（48）と第１排気側ダンパ（47）の両方が閉じた状態になる事態が生じない。従って、第２空気の流通経路がダンパ（47,48）によって断たれてしまうことが回避されるので、排気ファン（25）の負荷が一時的に増加することが回避される。
【００８２】
また、第１熱交換器室（37）では、開状態へ切り換わる第１外気側ダンパ（43）の切換動作が、閉状態へ切り換わる第１内気側ダンパ（41）の切換動作よりも先に開始される。また、第２熱交換器室（38）では、開状態へ切り換わる第２内気側ダンパ（42）の切換動作が、閉状態へ切り換わる第２外気側ダンパ（44）の切換動作よりも先に開始される。従って、各熱交換室（37,38）の流入側の２つのダンパ（41〜44,47,48）が両方とも閉じた状態になることが回避されるので、各熱交換室（37,38）への空気の流入がダンパ（41〜44）によって断たれてしまうことが回避される。
【００８３】
〈調湿運転と単純換気運転の切り換え〉
調湿運転と単純換気運転との切り換えを行う際のコントローラ（30）の動作について説明する。なお、以下では、除湿換気運転の第１動作から単純換気運転へ切り換える際の動作について説明する。
【００８４】
上述したように、除湿換気運転の第１動作中は、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となっている。また、除湿換気運転から単純換気運転へ切り換えは、給気ファン（26）及び排気ファン（25）を運転したままで行われる。
【００８５】
ダンパ制御部（63）は、例えばリモコンから単純換気運転への切換指令を受けると、まず第１バイパス用ダンパ（49）及び第２バイパス用ダンパ（50）の各ダンパに対して、開状態への切換指令を出力する。ダンパ制御部（63）では、図１１に示すように、開状態への切換指令を出力した各ダンパ（49,50）の指示値が、閉状態から開状態に設定される。開状態への切換指令を受けた各ダンパ（49,50）では、ダンパモータが起動して、開状態への切換動作が開始される。
【００８６】
続いて、ダンパ制御部（63）は、開状態への切換指令の出力時点から所定の設定時間（例えば１５秒）の経過後に、第１内気側ダンパ（41）、第２外気側ダンパ（44）、第２給気側ダンパ（46）、及び第１排気側ダンパ（47）の各ダンパに対して、閉状態への切換指令を出力する。ダンパ制御部（63）では、閉状態への切換指令を出力した各ダンパ（41,44,46,47）の指示値が、開状態から閉状態に設定される。閉状態への切換指令を受けた各ダンパ（41,44,46,47）では、ダンパモータが起動して、閉状態への切換動作が開始される。
【００８７】
そして、ダンパ制御部（63）は、開状態への切換指令を出力したダンパ（49,50）のリミットスイッチの出力がオン状態になっていることを所定回数（例えば３回）連続して検出した場合に、そのダンパ（49,50）の切換動作が終了したと判断する。また、ダンパ制御部（63）は、閉状態への切換指令を出力したダンパ（41,44,46,47）のリミットスイッチの出力がオフ状態になっていることを所定回数（例えば３回）連続して検出した場合に、そのダンパ（41,44,46,47）の切換動作が終了したと判断する。以上により、除湿換気運転から単純換気運転へ切り換える際のダンパ制御部（63）の動作が終了する。
【００８８】
この実施形態では、除湿換気運転の第１動作から単純換気運へ切り換える際に、開状態へ切り換わるダンパ（49,50）の切換動作の方が、閉状態へ切り換わるダンパ（41,44,46,47）の切換動作よりも先に開始される。ここで、全てのダンパの切換動作が同時に開始される場合には、第１バイパス用ダンパ（49）が開く前に第２給気側ダンパ（46）が閉じきってしまい、空気の流通経路がダンパ（46,49）によって断たれてしまう場合がある。このような場合、給気側通路（31）に一時的に空気が流入しなくなるので、給気ファン（26）の負荷が一時的に増加してしまう。
【００８９】
これに対して、この実施形態では、開状態へ切り換わる第１バイパス用ダンパ（49）の切換動作が、閉状態へ切り換わる第２給気側ダンパ（46）の切換動作よりも先に開始される。このため、第１バイパス用ダンパ（49）の切換動作の方が第２給気側ダンパ（46）の切換動作よりも早く終了するので、第１バイパス用ダンパ（49）と第２給気側ダンパ（46）の両方が閉じた状態になる事態が生じない。従って、空気の流通経路がダンパ（46,49）によって断たれてしまうことが回避されるので、給気ファン（26）の負荷が一時的に増加することが回避される。
【００９０】
また、同様に、開状態へ切り換わる第２バイパス用ダンパ（50）の切換動作が、閉状態へ切り換わる第１排気側ダンパ（47）の切換動作よりも先に開始される。このため、第２バイパス用ダンパ（50）の切換動作の方が第１排気側ダンパ（47）の切換動作よりも早く終了するので、第２バイパス用ダンパ（50）と第１排気側ダンパ（47）の両方が閉じた状態になる事態が生じない。従って、空気の流通経路がダンパ（47,50）によって断たれてしまうことが回避されるので、排気ファン（25）の負荷が一時的に増加することが回避される。
【００９１】
−実施形態の効果−
本実施形態では、第１動作と第２動作との間の切り換えを行う際に、開状態へ切り換えるダンパ（41〜48）の切換動作を、閉状態へ切り換えるダンパ（41〜48）の切換動作よりも先に開始させるダンパ制御部（63）を設けているので、閉状態へ切り換えるダンパ（41〜48）の切換動作が開始される時点では、開状態へ切り換えるダンパ（41〜48）の切換動作がある程度進んだ状態になる。このため、閉状態へ切り換わるダンパ（41〜48）の切換動作が完了して該ダンパ（41〜48）を空気が通過できなくなった時点では、開状態へ切り換えるダンパ（41〜48）の切換動作が完了して該ダンパ（41〜48）を空気が通過できる状態になっている。従って、運転中に空気の流通経路がダンパ（41〜48）によって断たれることを回避することができる。
【００９２】
また、本実施形態では、調湿運転と単純換気運転との間の切り換えを行う際にも、閉状態へ切り換えるダンパ（41〜50）の切換動作が開始される時点では、開状態へ切り換わるダンパ（41〜50）の切換動作がある程度進んだ状態になる。従って、調湿運転と単純換気運転との間の切り換えを行う際にも、空気の流通経路がダンパによって断たれることを回避することができる。
【００９３】
また、本実施形態では、ダンパ制御部（63）において、切換動作の開始を指示するタイミングが、開状態へ切り換える全てのダンパ（41〜50）の間で同じになり、閉状態へ切り換える全てのダンパ（41〜50）の間で同じになるようにしている。つまり、切換動作の開始を指示するタイミングが、開状態への切換動作を行うダンパで統一され、閉状態への切換動作を行うダンパで統一される。従って、ダンパ（41〜50）の制御が複雑化することを回避できる。
【００９４】
−実施形態の変形例１−
本実施形態の冷媒回路（56）について、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【００９５】
−実施形態の変形例２−
本実施形態の調湿装置（10）では、第１吸着熱交換器（51）及び第２吸着熱交換器（52）に担持された吸着剤を冷媒によって加熱し又は冷却しているが、第１吸着熱交換器（51）及び第２吸着熱交換器（52）に対して冷水や温水を供給することで、吸着剤の加熱や冷却を行ってもよい。
【００９６】
−実施形態の変形例３−
上記実施形態について、調湿装置（10）が次のように構成されていてもよい。
【００９７】
図１１に示すように、本変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）及び第２吸着素子（112）は、ゼオライト等の吸着剤を備えている。各吸着素子（111,112）には多数の空気通路が形成されており、この空気通路を通過する際に空気が吸着剤と接触する。
【００９８】
本変形例の調湿装置（10）は、除湿換気運転と、加湿換気運転と、単純換気運転とを選択的に行う。
【００９９】
除湿換気運転中や加湿還気運転中の調湿装置（10）は、第１動作と第２動作を所定の時間間隔で交互に繰り返し行う。除湿換気運転中の調湿装置（10）は、室外空気を第１空気として取り込み、室内空気を第２空気として取り込む。一方、加湿換気運転中の調湿装置（10）は、室内空気を第１空気として取り込み、室外空気を第２空気として取り込む。
【０１００】
先ず、除湿換気運転及び加湿還気運転の第１動作について、図１１(Ａ)を参照しながら説明する。第１動作中の調湿装置（10）は、凝縮器（102）で加熱された第２空気を第１吸着素子（111）へ供給する。第１吸着素子（111）では、吸着剤が第２空気によって加熱され、吸着剤から水分が脱離する。また、第１動作中の調湿装置（10）は、第１空気を第２吸着素子（112）へ供給し、第１空気中の水分を第２吸着素子（112）に吸着させる。第２吸着素子（112）に水分を奪われた第１空気は、蒸発器（104）を通過する際に冷却される。
【０１０１】
次に、除湿換気運転及び加湿還気運転の第２動作について、図１１(Ｂ)を参照しながら説明する。第２動作中の調湿装置（10）は、凝縮器（102）で加熱された第２空気を第２吸着素子（112）へ供給する。第２吸着素子（112）では、吸着剤が第２空気によって加熱され、吸着剤から水分が脱離する。また、第１動作中の調湿装置（10）は、第１空気を第１吸着素子（111）へ供給し、第１空気中の水分を第１吸着素子（111）に吸着させる。第１吸着素子（111）に水分を奪われた第１空気は、蒸発器（104）を通過する際に冷却される。
【０１０２】
そして、除湿換気運転中の調湿装置（10）は、除湿された第１空気（室外空気）を室内へ供給し、吸着素子（111,112）から脱離した水分を第２空気（室内空気）と共に室外へ排出する。また、加湿換気運転中の調湿装置（10）は、加湿された第２空気（室外空気）を室内へ供給し、吸着素子（111,112）に水分を奪われた第１空気（室内空気）を室外へ排出する。
【０１０３】
単純換気運転中の調湿装置（10）では、冷媒回路（100）の圧縮機（101）が停止状態になると共に、第１吸着素子（111）と第２吸着素子（112）のうち一方を室外空気が通過して他方を室内空気が通過する。そして、室外空気は吸着素子（111,112）を通過後に室内へ供給され、室内空気は吸着素子（111,112）を通過後に室外へ排出される。単純換気運転中の調湿装置（10）において、室外空気や室内空気の流通経路の切り換えは行われない。
【０１０４】
《その他の実施形態》
上記実施形態は、以下のように構成してもよい。
【０１０５】
上記実施形態について、ダンパ制御部（63）は、開状態へ切り換える全てのダンパ（41〜50）対して同時に切換指令を出力しなくてもよいし、閉状態へ切り換える全てのダンパ（41〜50）対して同時に切換指令を出力しなくてもよい。
【０１０６】
第１動作と第２動作との切り換えの際には、ダンパ制御部（63）は、給気側通路（31）側に位置する第１給気側ダンパ（45）と第２給気側ダンパ（46）の間で、開状態への切換指令を閉状態への切換指令よりも先に出力すればよい。また、ダンパ制御部（63）は、排気側通路（33）側に位置する第１排気側ダンパ（47）と第２排気側ダンパ（48）の間で、開状態への切換指令を閉状態への切換指令よりも先に出力すればよい。また、ダンパ制御部（63）は、第１熱交換器室（37）の流入側に位置する第１内気側ダンパ（41）と第１外気側ダンパ（43）の間で、開状態への切換指令を閉状態への切換指令よりも先に出力すればよい。また、ダンパ制御部（63）は、第２熱交換器室（38）の流入側に位置する第２内気側ダンパ（42）と第２外気側ダンパ（44）の間で、開状態への切換指令を閉状態への切換指令よりも先に出力すればよい。
【０１０７】
また、上記実施形態とは異なり、給気ファン（26）及び排気ファン（25）が、第１熱交換器室（37）及び第２熱交換器室（38）の上流側に配置されている場合には、ダンパ制御部（63）は、内気側通路（32）側に位置する第１内気側ダンパ（41）と第２内気側ダンパ（42）の間で、開状態への切換指令を閉状態への切換指令よりも先に出力すればよい。また、ダンパ制御部（63）は、外気側通路（34）側に位置する第１外気側ダンパ（43）と第２外気側ダンパ（44）の間で、開状態への切換指令を閉状態への切換指令よりも先に出力すればよい。また、ダンパ制御部（63）は、第１熱交換器室（37）の流出側に位置する第１給気側ダンパ（45）と第１排気側ダンパ（47）の間で、開状態への切換指令を閉状態への切換指令よりも先に出力すればよい。また、ダンパ制御部（63）は、第２熱交換器室（38）の流出側に位置する第２給気側ダンパ（46）と第２排気側ダンパ（48）の間で、開状態への切換指令を閉状態への切換指令よりも先に出力すればよい。
【０１０８】
なお、以上の実施形態は、本質的に好ましい例示であって、本発明、その適用物、あるいはその用途の範囲を制限することを意図するものではない。
【産業上の利用可能性】
【０１０９】
以上説明したように、本発明は、室内の湿度調節を行うための調湿装置について有用である。
【図面の簡単な説明】
【０１１０】
【図１】前面側から見た調湿装置をケーシングの一部および電装品箱を省略して示す斜視図である。
【図２】調湿装置の一部を省略して示す概略の平面図、右側面図、及び左側面図である。
【図３】冷媒回路の構成を示す配管系統図であって、(Ａ)は第１動作中の動作を示すものであり、(Ｂ)は第２動作中の動作を示すものである。
【図４】調湿装置のコントローラの概略構成図である。
【図５】除湿換気運転の第１動作における空気の流れを示す調湿装置の概略の平面図、右側面図、及び左側面図である。
【図６】除湿換気運転の第２動作における空気の流れを示す調湿装置の概略の平面図、右側面図、及び左側面図である。
【図７】加湿換気運転の第１動作における空気の流れを示す調湿装置の概略の平面図、右側面図、及び左側面図である。
【図８】加湿換気運転の第２動作における空気の流れを示す調湿装置の概略の平面図、右側面図、及び左側面図である。
【図９】単純換気運転における空気の流れを示す調湿装置の概略の平面図、右側面図、及び左側面図である。
【図１０】除湿換気運転中の給気ファンの指示値、排気ファンの指示値、及びダンパの指示値の遷移を表す図表である。
【図１１】調湿運転から単純換気運転に切り換える際の給気ファンの指示値、排気ファンの指示値、及びダンパの指示値の遷移を表す図表である。
【図１２】その他の実施形態の第３変形例の調湿装置を示す概略構成図であって、(Ａ)は第１動作中の動作を示すものであり、(Ｂ)は第２動作中の動作を示すものである。
【符号の説明】
【０１１１】
10      調湿装置
11      ケーシング
41〜50  ダンパ
51      第１吸着熱交換器（第１吸着用部材）
52      第２吸着熱交換器（第２吸着用部材）
63      ダンパ制御部（ダンパ制御手段）
【図１】
2009109143.tif 000003
【図２】
2009109143.tif 000004
【図３】
2009109143.tif 000005
【図４】
2009109143.tif 000006
【図５】
2009109143.tif 000007
【図６】
2009109143.tif 000008
【図７】
2009109143.tif 000009
【図８】
2009109143.tif 000010
【図９】
2009109143.tif 000011
【図１０】
2009109143.tif 000012
【図１１】
2009109143.tif 000013
【図１２】
2009109143.tif 000014